【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
第１信号入力端、第２信号入力端、第１クロック信号端、第１電圧信号端及び第１ノードにそれぞれ接続され、前記第１入力信号端及び前記第２信号入力端に入力するパルス信号の少なくとも一方がオンパルス信号であるとき、前記第１クロック信号端が出力する第１クロック信号を前記第１ノードに提供し、前記第１入力信号端及び第２信号入力端に入力するパルス信号がそれぞれオフパルス信号であるとき、前記第１電圧信号端が出力する第１電圧信号を前記第１ノードに提供する、第１制御モジュールと、
第１信号入力端、第２信号入力端及び第２ノードにそれぞれ接続され、順方向走査するとき、前記第１信号入力端の信号を前記第２ノードに提供し、逆方向走査するとき第２信号入力端の信号を前記第２ノードに提供する、走査制御モジュールと、
前記第１ノード、前記第２ノード及び第１出力端にそれぞれ接続され、前記第１ノード電位の制御のもとで前記第２ノード電位を前記第１出力端に出力する、第１出力制御モジュールと、
を備える、シフトレジスター。
【請求項２】
請求項1に記載のシフトレジスターにおいて、
前記第１出力端、第２クロック信号端、第３ノード及び第２電圧信号端にそれぞれ接続され、前記第１出力端の電位の制御のもとで前記第２クロック信号端が出力する第２クロック信号、又は前記第２電圧信号端が出力する第２電圧信号を前記第３ノードに提供する、第２制御モジュールと、
前記第３ノード、リセット信号端、Ｎ個第３クロック信号端及びＮ個第２出力端にそれぞれ接続され、前記第３ノード電位の制御のもとで前記リセット信号端が出力するリセット信号を前記Ｎ個第２出力端に提供し、又は、前記第３ノード電位の制御のもとで第ｎ個前記第３クロック信号端が出力するクロック信号を第ｎ個前記第２出力端に提供し、ただし、Ｎは１又は１より大きい正整数であり、第ｎ個前記第２出力端は前記Ｎ個第２出力端に属する、第２出力制御モジュールと、
をさらに備え、
前記第１クロック信号と前記第２クロック信号は位相が逆であり、それぞれの前記第３クロック信号端が発送したクロック信号のクロック周期が前記第１クロック信号のクロック周期の１/２に等しく、前記第３クロック信号端が発送するクロック信号のデューティ比が１/Ｎであり、前記第１クロック信号がハイレベルパルス信号を出力し始めるとき、前記第１乃至第Ｎ個第３クロック信号端が出力するクロック信号の位相は順次２π/Ｎが遅延する、シフトレジスター。
【請求項３】
請求項1又は２に記載のシフトレジスターにおいて、
前記第１制御モジュールは、
入力端が前記第１信号入力端及び前記第２信号入力端にそれぞれ接続され、出力端が第１インバータの入力端、第１伝送ゲートの反転制御端及び第１スイッチングトランジスタのゲート電極にそれぞれ接続される、ＮＯＲゲートと、
入力端が前記ＮＯＲゲートの出力端に接続され、出力端が第１伝送ゲートの非反転制御端に接続される、第１インバータと、
入力端が前記第１クロック信号端に接続され、出力端が前記第１ノードに接続され、非反転制御端が前記第１インバータの出力端に接続され、反転制御端が前記ＮＯＲゲートの出力端に接続される、第１伝送ゲートと、
ゲート電極が前記ＮＯＲゲートの出力端に接続され、ソース電極が前記第１電圧信号端に接続され、ドレイン電極が前記第１ノードに接続される、Ｎ型トランジスタである、第１スイッチングトランジスタと、を備えるシフトレジスター。
【請求項４】
請求項1に記載のシフトレジスターにおいて、
前記走査制御モジュールは、
反転制御端が第４電圧信号端に接続され、非反転制御端が第３電圧信号端に接続され、入力端が前記第１信号入力端に接続され、出力端が前記第２ノードに接続される、第２伝送ゲートと、
反転制御端が前記第３電圧信号端に接続され、非反転制御端が前記第４電圧信号端に接続され、入力端が前記第２信号入力端に接続され、出力端が前記第２ノードに接続される、第３伝送ゲートと、を備えるシフトレジスター。
【請求項５】
請求項1に記載のシフトレジスターにおいて、
前記第１出力制御モジュールは、
ゲート電極が前記第１ノードに接続され、ソース電極が前記第２ノードに接続される、第２スイッチングトランジスタと、
入力端が前記第１ノードに接続される、第２インバータと、
ゲート電極が前記第２インバータの出力端に接続され、ドレイン電極が前記第２スイッチングトランジスタのドレイン電極に接続される、第３スイッチングトランジスタと、を備え、
前記第２スイッチングトランジスタ及び前記第３スイッチングトランジスタがＮ型トランジスタである、シフトレジスター。
【請求項６】
請求項5に記載のシフトレジスターにおいて、
前記第１出力制御モジュールは、
入力端が前記第２スイッチングトランジスタのドレイン電極及び前記第３スイッチングトランジスタのドレイン電極にそれぞれ接続される、第３インバータと、
出力端が前記第３スイッチングトランジスタのソース電極に接続される、第４インバータと、
入力端が前記第３インバータの出力端及び前記第４インバータの入力端に接続され、出力端が前記第１出力端にそれぞれ接続される、第５インバータと、をさらに備える、シフトレジスター。
【請求項７】
請求項６に記載のシフトレジスターにおいて、
ゲート電極がリセット信号端に接続され、ソース電極が第５電圧信号端に接続され、ドレイン電極が前記第５インバータの入力端、第３インバータの出力端及び第４インバータの出力端にそれぞれ接続される、第４スイッチングトランジスタをさらに備え、
前記第４スイッチングトランジスタがＮ型トランジスタである、シフトレジスター。
【請求項８】
請求項２に記載のシフトレジスターにおいて、
前記第２制御モジュールは、
入力端が前記第２クロック信号端に接続され、出力端が前記第３ノードに接続され、非反転制御端が前記第１出力端に接続され、反転制御端が前記第６インバータの出力端及び前記第５スイッチングトランジスタのゲート電極にそれぞれ接続される、第４伝送ゲートと、
入力端が前記第１出力端に接続され、出力端が前記第４伝送ゲートの反転制御端及び前記第５スイッチングトランジスタのゲート電極にそれぞれ接続される、第６インバータと、
ゲート電極が前記第６インバータの出力端及び前記第４伝送ゲートの反転制御端に接続され、ソース電極が前記第３ノードにそれぞれ接続され、ドレイン電極が第２電圧信号端に接続される、第５スイッチングトランジスタと、を備え、
前記第５スイッチングトランジスタがＮ型トランジスタである、シフトレジスター。
【請求項９】
請求項２に記載のシフトレジスターにおいて、
前記第２出力制御モジュールは、
入力端が前記第３ノードに接続され、出力端がＮ個出力制御サーブモジュールの一端及び第８インバータの入力端にそれぞれ接続される、第７インバータと、
入力端がＮ個前記出力制御サーブモジュールの一端及び前記第７インバータの出力端にそれぞれ接続され、出力端がＮ個前記出力制御サーブモジュールの他端にそれぞれ接続される、第８インバータと、
それぞれは、前記第７インバータの出力端の電位及び前記第８インバータの出力端の電位の制御のもとで、前記リセット信号端が出力するリセット信号をそれぞれの前記出力制御サーブモジュールに対応するＮ個前記第２出力端に提供し、又は、前記第７インバータの出力端の電位及び前記第８インバータの出力端の電位の制御のもとで、第ｎ個前記第３クロック信号端が発送するクロック信号をそれぞれの第ｎ個前記第２出力端に提供する、Ｎ個出力制御サーブモジュールと、を備えるシフトレジスター。
【請求項１０】
請求項９に記載のシフトレジスターにおいて、
前記出力制御サーブモジュールは、
入力端が前記リセット信号端に接続され、非反転制御端が前記第７インバータの出力端に接続され、反転制御端が前記第８インバータの出力端に接続される、第５伝送ゲートと、
入力端がＮ個前記第３クロック信号端に接続され、反転制御端が前記第７インバータの出力端に接続され、非反転制御端が前記第８インバータの出力端に接続される、第６伝送ゲートと、を備えるシフトレジスター。
【請求項１１】
請求項１０に記載のシフトレジスターにおいて、
前記出力制御サーブモジュールは、
入力端が前記第５伝送ゲートの出力端及び前記第６伝送ゲートの出力端にそれぞれ接続され、出力端が第１０インバータの入力端に接続される、第９インバータと、
入力端が前記第９インバータの出力端に接続され、出力端が前記第２出力端に接続される、第１０インバータと、さらに備えるシフトレジスター。
【請求項１２】
請求項８〜１１のいずれか一項に記載のシフトレジスターにおいて、
前記Ｎが４である、シフトレジスター。
【請求項１３】
第１信号入力端、第２信号入力端、第１クロック信号端、第１電圧信号端及び第１ノードにそれぞれ接続され、前記第１入力信号端及び前記第２信号入力端に入力するパルス信号の少なくとも一方がオンパルス信号であるとき、前記第１クロック信号端が出力する第１クロック信号を前記第１ノードに提供し、前記第１入力信号端及び第２信号入力端に入力するパルス信号がそれぞれオフパルス信号であるとき、前記第１電圧信号端が出力する第１電圧信号を前記第１ノードに提供する、第１制御モジュールと、
第１信号入力端、第２信号入力端及び第２ノードにそれぞれ接続され、順方向走査するとき、前記第１信号入力端の信号を前記第２ノードに提供し、逆方向走査するとき第２信号入力端の信号を前記第２ノードに提供する、走査制御モジュールと、
前記第１ノード、前記第２ノード及び第１出力端にそれぞれ接続され、前記第１ノード電位の制御のもとで前記第２ノード電位を前記第１出力端に出力する、第１出力制御モジュールと、
ゲート電極がリセット信号端に接続され、ソース電極が第５電圧信号端に接続され、ドレイン電極が第５インバータの入力端、第３インバータの出力端及び第４インバータの出力端にそれぞれ接続される、第４スイッチングトランジスタと、
前記第１出力端、第２クロック信号端、第３ノード及び第２電圧信号端にそれぞれ接続され、前記第１出力端の電位の制御のもとで前記第２クロック信号端が出力する第２クロック信号、又は前記第２電圧信号端が出力する第２電圧信号を前記第３ノードに提供する、第２制御モジュールと、
前記第３ノード、リセット信号端、Ｎ個第３クロック信号端及びＮ個第２出力端にそれぞれ接続され、前記第３ノード電位の制御のもとで前記リセット信号端が出力するリセット信号を前記Ｎ個第２出力端に提供し、又は、前記第３ノード電位の制御のもとで第ｎ個前記第３クロック信号端が出力するクロック信号を第ｎ個前記第２出力端に提供し、ただし、Ｎは１又は１より大きい正整数であり、第ｎ個前記第２出力端は前記Ｎ個第２出力端に属する、第２出力制御モジュールと、
を備え、
前記第１クロック信号と前記第２クロック信号は位相が逆であり、それぞれの前記第３クロック信号端が発送したクロック信号のクロック周期が前記第１クロック信号のクロック周期の１/２に等しく、前記第３クロック信号端が発送するクロック信号のデューティ比が１/Ｎであり、前記第１クロック信号がハイレベルパルス信号を出力し始めるとき、前記第１乃至第Ｎ個第３クロック信号端が出力するクロック信号の位相は順次２π/Ｎが遅延し、
前記第１制御モジュールは、
入力端が前記第１信号入力端及び前記第２信号入力端にそれぞれ接続され、出力端が第１インバータの入力端、第１伝送ゲートの反転制御端及び第１スイッチングトランジスタのゲート電極にそれぞれ接続される、ＮＯＲゲートと、
入力端が前記ＮＯＲゲートの出力端に接続され、出力端が第１伝送ゲートの非反転制御端に接続される、第１インバータと、
入力端が前記第１クロック信号端に接続され、出力端が前記第１ノードに接続され、非反転制御端が前記第１インバータの出力端に接続され、反転制御端が前記ＮＯＲゲートの出力端に接続される、第１伝送ゲートと、
ゲート電極が前記ＮＯＲゲートの出力端に接続され、ソース電極が前記第１電圧信号端に接続され、ドレイン電極が前記第１ノードに接続される、第１スイッチングトランジスタと、
を備え、
前記走査制御モジュールは、
前記反転制御端が第４電圧信号端に接続され、非反転制御端が前記第３電圧信号端に接続され、入力端が前記第１信号入力端に接続され、出力端が前記第２ノードに接続される、第２伝送ゲートと、
反転制御端が前記第３電圧信号端に接続され、非反転制御端が前記第４電圧信号端に接続され、入力端が前記第２信号入力端に接続され、出力端が前記第２ノードに接続される、第３伝送ゲートと、
を備え、
前記第１出力制御モジュールは、
ゲート電極が前記第１ノードに接続され、ソース電極が前記第２ノードに接続される、第２スイッチングトランジスタと、
入力端が前記第１ノードに接続される、第２インバータと、
ゲート電極が前記第２インバータの出力端に接続され、ドレイン電極が前記第２スイッチングトランジスタのドレイン電極に接続される、第３スイッチングトランジスタと、
入力端が前記第２スイッチングトランジスタのドレイン電極及び前記第３スイッチングトランジスタのドレイン電極にそれぞれ接続される、第３インバータと、
出力端が前記第３スイッチングトランジスタのソース電極に接続される、第４インバータと、
入力端が前記第３インバータの出力端及び前記第４インバータの入力端に接続され、出力端が前記第１出力端にそれぞれ接続される、第５インバータと、
を備え、
前記第２制御モジュールは、
入力端が前記第２クロック信号端に接続され、出力端が前記第３ノードに接続され、非反転制御端が前記第１出力端に接続され、反転制御端が前記第６インバータの出力端及び前記第５スイッチングトランジスタのゲート電極にそれぞれ接続される、第４伝送ゲートと、
入力端が前記第１出力端に接続され、出力端が前記第４伝送ゲートの反転制御端及び前記第５スイッチングトランジスタのゲート電極にそれぞれ接続される、第６インバータと、
ゲート電極が前記第６インバータの出力端及び前記第４伝送ゲートの反転制御端に接続され、ソース電極が前記第３ノードにそれぞれ接続され、ドレイン電極が第２電圧信号端に接続される、第５スイッチングトランジスタと、
を備え、
前記第２出力制御モジュールは、
入力端が前記第３ノードに接続され、出力端がＮ個出力制御サーブモジュールの一端及び第８インバータの入力端にそれぞれ接続される、第７インバータと、
入力端がＮ個前記出力制御サーブモジュールの一端及び前記第７インバータの出力端にそれぞれ接続され、出力端がＮ個前記出力制御サーブモジュールの他端にそれぞれ接続される、第８インバータと、
それぞれは、前記第７インバータの出力端の電位及び前記第８インバータの出力端の電位の制御のもとで、前記リセット信号端が出力するリセット信号をそれぞれの前記出力制御サーブモジュールに対応するＮ個前記第２出力端に提供し、又は、前記第７インバータの出力端の電位及び前記第８インバータの出力端の電位の制御のもとで、第ｎ個前記第３クロック信号端が発送するクロック信号をそれぞれの第ｎ個前記第２出力端に提供する、Ｎ個出力制御サーブモジュールと、
を備え、
前記出力制御サーブモジュールは、
入力端が前記リセット信号端に接続され、非反転制御端が前記第７インバータの出力端に接続され、反転制御端が前記第８インバータの出力端に接続される、第５伝送ゲートと、
入力端がＮ個前記第３クロック信号端に接続され、反転制御端が前記第７インバータの出力端に接続され、非反転制御端が前記第８インバータの出力端に接続される、第６伝送ゲートと、
入力端が前記第５伝送ゲートの出力端及び前記第６伝送ゲートの出力端にそれぞれ接続され、出力端が第１０インバータの入力端に接続される、第９インバータと、
入力端が前記第９インバータの出力端に接続され、出力端が前記第２出力端に接続される、第１０インバータと、
を備え、
前記第１スイッチングトランジスタ、第２スイッチングトランジスタ及び前記第３スイッチングトランジスタ、前記第４スイッチングトランジスタ及び前記第５スイッチングトランジスタがＮ型トランジスタである、シフトレジスター。
【請求項１４】
カスケード接続された複数の請求項１-１２のいずれか１項に記載のシフトレジスター、又は、カスケード接続された複数の請求項１３に記載されたシフトレジスター回路を備えるゲート駆動回路であって、
第１級シフトレジスターの以外に、他の各級シフトレジスターの第１信号入力端がそのカスケード接続された前級シフトレジスターの第１出力端に接続され、
最後１級シフトレジスターの以外に、他の各級シフトレジスターの第２信号入力端がそのカスケード接続された次級シフトレジスターの第１出力端に接続される、ゲート駆動回路。
【請求項１５】
請求項１４に記載のゲート駆動回路において、
第１級シフトレジスターの第１信号入力端がフレームトリガ信号端に接続され、
最後１級シフトレジスターの第２信号入力端がフレームエンド信号端に接続される、ゲート駆動回路。
【請求項１６】
請求項１-１２のいずれか１項に記載のシフトレジスター、又は請求項１３に記載のシフトレジスターを駆動する駆動方法であって、 
前記第１信号入力端にハイレベル信号を提供し、前記第２信号入力端にローレベル信号を提供し、前記第１クロック信号端にローレベル信号を提供し、前記第１出力端に前記ローレベル信号を出力する、第１段階と、
前記第１信号入力端にハイレベル信号を提供し、前記第２信号入力端にローレベル信号を提供し、前記第１クロック信号端にハイレベル信号を提供し、前記第１出力端に前記ハイレベル信号を出力する、第２段階と、
前記第１信号入力端にローレベル信号を提供し、前記第２信号入力端にハイレベル信号を提供し、前記第１クロック信号端にローレベル信号を提供し、前記第１出力端に前記ハイレベル信号を出力する、第３段階と、
前記第１信号入力端にローレベル信号を提供し、前記第２信号入力端にハイレベル信号を提供し、前記第１クロック信号端にハイレベル信号を提供し、前記第１出力端に前記ローレベル信号を出力する、第４段階と、
前記第１信号入力端にローレベル信号を提供し、前記第２信号入力端にローレベル信号を提供し、前記第１クロック信号端にローレベル信号を提供し、前記第１出力端に前記ローレベル信号を出力する、第５段階と、を含む、
駆動方法。
【請求項１７】
請求項１６に記載の駆動方法において、
前記シフトレジスターに第２制御モジュール及び第２出力制御モジュールが含まれるとき、前記駆動方法は、
前記第２クロック信号にハイレベル信号を提供し、前記リセット信号端にローレベル信号を提供し、Ｎ個前記第２出力端のそれぞれがローレベル信号を出力する、第１段階と、
前記第２クロック信号にローレベル信号を提供し、前記リセット信号端にローレベル信号を提供し、Ｎ個前記第３クロック信号端に順次ハイレベル信号を提供し、Ｎ個前記第２出力端のそれぞれがローレベル信号を出力する、第２段階と、
前記第２クロック信号にハイレベル信号を提供し、前記リセット信号端にローレベル信号を提供し、Ｎ個前記第３クロック信号端に順次ハイレベル信号を提供し、Ｎ個前記第２出力端が順次Ｎ個前記第３クロック信号入力端が提供する信号と同じのハイレベル信号を出力する、第３段階と、
前記第２クロック信号にローレベル信号を提供し、前記リセット信号端にローレベル信号を提供し、Ｎ個前記第３クロック信号端に順次ハイレベル信号を提供し、Ｎ個前記第２出力端のそれぞれがローレベル信号を出力する、第４段階と、
前記第２クロック信号にハイレベル信号を提供し、前記リセット信号端にローレベル信号を提供し、Ｎ個前記第３クロック信号端に順次ハイレベル信号を提供し、Ｎ個前記第２出力端のそれぞれがローレベル信号を出力する、第５段階と、を含む、
駆動方法。
【請求項１８】
請求項１４又は１５に記載のゲート駆動回路を備える表示装置。
【手続補正２】
【補正対象書類名】明細書
【補正対象項目名】００１１
【補正方法】変更
【補正の内容】
【００１１】
一可能な実施形態は、本発明の実施例に係るシフトレジスターおいて、前記走査制御モジュールは、
反転制御端が第４電圧信号端に接続され、非反転制御端が第３電圧信号端に接続され、入力端が前記第１信号入力端に接続され、出力端が前記第２ノードに接続される、第２伝送ゲートと、
反転制御端が前記第３電圧信号端に接続され、非反転制御端が前記第４電圧信号端に接続され、入力端が前記第２信号入力端に接続され、出力端が前記第２ノードに接続される、第３伝送ゲートと、を備える。
【手続補正３】
【補正対象書類名】明細書
【補正対象項目名】００２０
【補正方法】変更
【補正の内容】
【００２０】
本発明の第２態様によればシフトレジスターが提供される。前記シフトレジスターは、
第１信号入力端、第２信号入力端、第１クロック信号端、第１電圧信号端及び第１ノードにそれぞれ接続され、前記第１入力信号端及び前記第２信号入力端に入力するパルス信号の少なくとも一方がオンパルス信号であるとき、前記第１クロック信号端が出力する第１クロック信号を前記第１ノードに提供し、前記第１入力信号端及び第２信号入力端に入力するパルス信号がそれぞれオフパルス信号であるとき、前記第１電圧信号端が出力する第１電圧信号を前記第１ノードに提供する、第１制御モジュールと、
第１信号入力端、第２信号入力端及び第２ノードにそれぞれ接続され、順方向走査するとき、前記第１信号入力端の信号を前記第２ノードに提供し、逆方向走査するとき第２信号入力端の信号を前記第２ノードに提供する、走査制御モジュールと、
前記第１ノード、前記第２ノード及び第１出力端にそれぞれ接続され、前記第１ノード電位の制御のもとで前記第２ノード電位を前記第１出力端に出力する、第１出力制御モジュールと、
ゲート電極がリセット信号端に接続され、ソース電極が第５電圧信号端に接続され、ドレイン電極が第５インバータの入力端、第３インバータの出力端及び第４インバータの出力端にそれぞれ接続される、第４スイッチングトランジスタと、
前記第１出力端、第２クロック信号端、第３ノード及び第２電圧信号端にそれぞれ接続され、前記第１出力端の電位の制御のもとで前記第２クロック信号端が出力する第２クロック信号、又は前記第２電圧信号端が出力する第２電圧信号を前記第３ノードに提供する、第２制御モジュールと、
前記第３ノード、リセット信号端、Ｎ個第３クロック信号端及びＮ個第２出力端にそれぞれ接続され、前記第３ノード電位の制御のもとで前記リセット信号端が出力するリセット信号を前記Ｎ個第２出力端に提供し、又は、前記第３ノード電位の制御のもとで第ｎ個前記第３クロック信号端が出力するクロック信号を第ｎ個前記第２出力端に提供し、ただし、Ｎは１又は１より大きい正整数であり、第ｎ個前記第２出力端は前記Ｎ個第２出力端に属する、第２出力制御モジュールと、
を備え、
前記第１クロック信号と前記第２クロック信号は位相が逆であり、それぞれの前記第３クロック信号端が発送したクロック信号のクロック周期が前記第１クロック信号のクロック周期の１/２に等しく、前記第３クロック信号端が発送するクロック信号のデューティ比が１/Ｎであり、前記第１クロック信号がハイレベルパルス信号を出力し始めるとき、前記第１乃至第Ｎ個第３クロック信号端が出力するクロック信号の位相は順次２π/Ｎが遅延し、
前記第１制御モジュールは、
入力端が前記第１信号入力端及び前記第２信号入力端にそれぞれ接続され、出力端が第１インバータの入力端、第１伝送ゲートの反転制御端及び第１スイッチングトランジスタのゲート電極にそれぞれ接続される、ＮＯＲゲートと、
入力端が前記ＮＯＲゲートの出力端に接続され、出力端が第１伝送ゲートの非反転制御端に接続される、第１インバータと、
入力端が前記第１クロック信号端に接続され、出力端が前記第１ノードに接続され、非反転制御端が前記第１インバータの出力端に接続され、反転制御端が前記ＮＯＲゲートの出力端に接続される、第１伝送ゲートと、
ゲート電極が前記ＮＯＲゲートの出力端に接続され、ソース電極が前記第１電圧信号端に接続され、ドレイン電極が前記第１ノードに接続される、第１スイッチングトランジスタと、
を備え、
前記走査制御モジュールは、
前記反転制御端が第４電圧信号端に接続され、非反転制御端が前記第３電圧信号端に接続され、入力端が前記第１信号入力端に接続され、出力端が前記第２ノードに接続される、第２伝送ゲートと、
反転制御端が前記第３電圧信号端に接続され、非反転制御端が前記第４電圧信号端に接続され、入力端が前記第２信号入力端に接続され、出力端が前記第２ノードに接続される、第３伝送ゲートと、
を備え、
前記第１出力制御モジュールは、
ゲート電極が前記第１ノードに接続され、ソース電極が前記第２ノードに接続される、第２スイッチングトランジスタと、
入力端が前記第１ノードに接続される、第２インバータと、
ゲート電極が前記第２インバータの出力端に接続され、ドレイン電極が前記第２スイッチングトランジスタのドレイン電極に接続される、第３スイッチングトランジスタと、
入力端が前記第２スイッチングトランジスタのドレイン電極及び前記第３スイッチングトランジスタのドレイン電極にそれぞれ接続される、第３インバータと、
出力端が前記第３スイッチングトランジスタのソース電極に接続される、第４インバータと、
入力端が前記第３インバータの出力端及び前記第４インバータの入力端に接続され、出力端が  前記第１出力端にそれぞれ接続される、第５インバータと、
を備え、
前記第２制御モジュールは、
入力端が前記第２クロック信号端に接続され、出力端が前記第３ノードに接続され、非反転制御端が前記第１出力端に接続され、反転制御端が前記第６インバータの出力端及び前記第５スイッチングトランジスタのゲート電極にそれぞれ接続される、第４伝送ゲートと、
入力端が前記第１出力端に接続され、出力端が前記第４伝送ゲートの反転制御端及び前記第５スイッチングトランジスタのゲート電極にそれぞれ接続される、第６インバータと、
ゲート電極が前記第６インバータの出力端及び前記第４伝送ゲートの反転制御端に接続され、ソース電極が前記第３ノードに接続され、ドレイン電極が第２電圧信号端に接続される、第５スイッチングトランジスタと、
を備え、
前記第２出力制御モジュールは、
入力端が前記第３ノードに接続され、出力端がＮ個出力制御サーブモジュールの一端及び第８インバータの入力端にそれぞれ接続される、第７インバータと、
入力端がＮ個前記出力制御サーブモジュールの一端及び前記第７インバータの出力端にそれぞれ接続され、出力端がＮ個前記出力制御サーブモジュールの他端にそれぞれ接続される、第８インバータと、
それぞれは、前記第７インバータの出力端の電位及び前記第８インバータの出力端の電位の制御のもとで、前記リセット信号端が出力するリセット信号をそれぞれの前記出力制御サーブモジュールに対応するＮ個前記第２出力端に提供し、又は、前記第７インバータの出力端の電位及び前記第８インバータの出力端の電位の制御のもとで、第ｎ個前記第３クロック信号端が発送するクロック信号をそれぞれの第ｎ個前記第２出力端に提供する、Ｎ個出力制御サーブモジュールと、
を備え、
前記出力制御サーブモジュールは、
入力端が前記リセット信号端に接続され、非反転制御端が前記第７インバータの出力端に接続され、反転制御端が前記第８インバータの出力端に接続される、第５伝送ゲートと、
入力端がＮ個前記第３クロック信号端に接続され、反転制御端が前記第７インバータの出力端に接続され、非反転制御端が前記第８インバータの出力端に接続される、第６伝送ゲートと、
入力端が前記第５伝送ゲートの出力端及び前記第６伝送ゲートの出力端にそれぞれ接続され、出力端が第１０インバータの入力端に接続される、第９インバータと、
入力端が前記第９インバータの出力端に接続され、出力端が前記第２出力端に接続される、第１０インバータと、
を備え、
前記第１スイッチングトランジスタ、第２スイッチングトランジスタ及び前記第３スイッチングトランジスタ、前記第４スイッチングトランジスタ及び前記第５スイッチングトランジスタがＮ型トランジスタである。
【手続補正４】
【補正対象書類名】明細書
【補正対象項目名】００４８
【補正方法】変更
【補正の内容】
【００４８】
第２伝送ゲートＴＧ２は、反転制御端が第４電圧信号端ＣＮＢに接続され、非反転制御端が第３電圧信号端ＣＮに接続され、入力端が第１信号入力端ＳＴＶ１に接続され、出力端が第２ノードＢに接続される。
【手続補正５】
【補正対象書類名】明細書
【補正対象項目名】００４９
【補正方法】変更
【補正の内容】
【００４９】
第３伝送ゲートＴＧ３は、反転制御端が第３電圧信号端ＣＮに接続され、非反転制御端が第４電圧信号端ＣＮＢに接続され、入力端が第２信号入力端ＳＴＶ２に接続され、出力端が第２ノードＢに接続される。